(57)【要約】【課題】遊技パターンが画一的な従来の羽根物遊技機に代わる風車体を備えた遊技機を提供する。【解決手段】枠型の入賞装置２０の上部を大きく開口し、該開口の近傍には風車回転体２５を配設した。適宜風車回転体２５を様々なパターンで回動させることにより、入賞装置２０内に遊技球を効率よく入賞させることができる。また、羽根２５ａに底部２５ｂを設けたことにより、羽根２５ａの先端との距離を近くして躍動感のある遊技を実現した。また、底部２５ｂには遊技球を保持するための球保持部２６を設けた。これにより、より確実に風車回転体２５内に遊技球を取り込み入賞装置２０内に入賞させることができる。【選択図】図１
2015134148.tif 000002
【特許請求の範囲】
【請求項１】
遊技球が入賞可能な入賞装置を備えた遊技機であって、
前記入賞装置は、上部が開口して内部に入賞口を有し、前記開口の近傍に、風車状回転体を回動自在に軸支し、
前記風車状回転体の羽根の回転軸側である基端部から外周側の先端部の途中位置に、隣り合う前記羽根体間を渡す底部が設けられたことを特徴とする遊技機。
【請求項２】
前記羽根間に設けられた前記底部は、円周方向より所定の角度傾斜して形成されたことを特徴とする請求項１に記載の遊技機。
【請求項３】
隣り合う前記羽根同士の間隔に差異を設けたことを特徴とする請求項１または２に記載の遊技機。
【請求項４】
前記底部の位置に差異を設けたことを特徴とする請求項１，２または３に記載の遊技機。
【請求項５】
前記風車回転体に、遊技球を外周側より軸芯側に導入し、遊技盤面の裏側へと連通する入賞経路である風車回転体入賞路を設けたことを特徴とする請求項１，２，３または４に記載の遊技機。
【請求項６】
前記請求項２から５に記載の風車状回転体のうち少なくとも二つを組み合わせて具備したことを特徴とする遊技機。
【請求項７】
前記入賞装置の両側面に少なくとも１対の可動片を設けたことを特徴とする請求項１，２，３，４，５または６に記載の遊技機。
【請求項８】
前記風車回転体の近傍に補助風車体を配設し、
前記特定入賞口に遊技球が入賞すると、該補助風車体は、前記風車回転体の羽根内に遊技球を導入し易い向きに回転することを特徴とする請求項１，２，３，４，５，６または７に記載の遊技機。
【請求項９】
遊技領域に、大入賞口と各種表示態様が表示可能な可変表示部とを備え、
前記入賞装置内の入賞口に入賞することにより、該可変表示部において変動表示を行い、賞を付与すべき表示態様に確定すると、
前記大入賞口が開閉して賞球を行うことを特徴とする請求項１，２，３，４，５，６，７または８に記載の遊技機。
【請求項１０】
前記風車回転体の上方に天釘群を上下に複数列配設したことを特徴とする請求項１，２，３，４，５，６，７，８または９に記載の遊技機。
【請求項１１】
前記底部に遊技球を保持するための孔である球保持部を形成したことを特徴とする請求項１，２，３，４，５，６，７，８，９または１０に記載の遊技機。
【請求項１２】
前記球保持部の深さを異ならせたことを特徴とする請求項１１に記載の遊技機。
【請求項１３】
前記球保持部は、孔の深さ方向に対して略直角に折れ曲がるポケット部を少なくとも１箇所設けたことを特徴とする請求項１１または１２に記載の遊技機。
【発明の詳細な説明】
【技術分野】
【０００１】  本発明は、遊技領域上に遊技球が入賞可能な入賞装置を備えた遊技機に関する。
【背景技術】
【０００２】  従来、この種のパチンコ遊技機の中に、いわゆる「ヒコーキ」、「羽根物」と呼ばれるパチンコ遊技機（以下「羽根物遊技機」という）がある（図３０参照）。
羽根物遊技機では、始動入賞口に遊技球が入賞すると、第２種役物装置である一対の可動片を備えた可変入賞部の可動片が開放状態となり、例えば最大開閉動作を１８回行う、または１０個等の所定数の遊技球が可変入賞部の内部にある入賞口に取り込まれた時点で可動片を閉じるようになっている。また、可動片が開いている間に取り込まれた遊技球が入賞口内の一部に設けられたＶゾーンと呼ばれる特定領域に入賞すると、可動片が最大回数（通常は１５回）を限度に再度、所定の大当たり動作を継続するようになっている（特許文献１、特許文献２）。【０００３】  しかしながら、従来のこの種の羽根物遊技機においては、始動入賞口に入賞、羽根の開閉、特定領域への入賞という遊技パターンが均一化されているので、遊技に躍動感が乏しく、遊技に対する興趣が低下していた。また、天釘に当たって流下する遊技球は、タイミングよく可動翼が開いている間しか入賞する可能性がないので、遊技者の技量が発揮するのが困難で、中央の入賞装置の可動片の開閉のみという構成は、単純でつまらないという指摘もなされていた。【０００４】  これらの問題点に対して、本願の出願人は、特許文献３において、主たる役物装置（センター役物）として、上部が開口した入賞装置を採用するとともに、該上部開口の近傍に風車体を配設した遊技機を提案した。すなわち、風車体によって流下する遊技球の流れを不均一化して、遊技が単調になるのを防ぎ、もって、遊技の興趣を高めたものである。
【先行技術文献】
【特許文献】
【０００５】
【特許文献１】特開平５−８４３４５号公報
【特許文献２】特開平２−１３６１５２号公報
【特許文献３】特願２０１２−１８９２４０号
【発明の概要】
【発明が解決しようとする課題】
【０００６】  しかしながら、特許文献３で提案した遊技機では、風車体における羽根の回転軸側である基端部と外周側である先端部間で流下する遊技球を受け止めて保持する構成としたために、風車体の回転に伴って行われる、遊技球の風車体からの放出が、遊技球を保持されている基端部と放出口である先端部との間に距離があることにより、時間がかかってしまい、スピード感および躍動感が損なわれているという問題点があった。【０００７】  かかる問題点に鑑みて、本件発明者は、既に特願２０１３−２７３８２９号により、風車体における羽根の基端部と先端部の間の途中位置に隣合う羽根間を渡す底部を形成することにより、風車体の回転に伴って、保持している遊技球を放出する際、遊技球を保持している基端部（底部）と、該遊技球の放出口である先端部間の距離を短くした遊技機を提案している。【０００８】  しかしながら、風車体における羽根の基端部と先端部との間の距離を短くすることにより躍動感は増したものの、遊技球を羽根体または底部等で弾いてしまったり、一旦は羽根体内に保持することに成功した遊技球をこぼしてしまったりする確率も高く、風車体内により多くの遊技球を保持する風車体を備えた入賞装置も望まれていた。【０００９】  本発明は、上記の事情に鑑み、風車体における羽根の基端部と先端部の間の途中位置に隣合う羽根間を渡す底部を形成することにより、風車体の回転に伴って、保持している遊技球を放出する際、遊技球を保持している基端部（底部）と、該遊技球の放出口である先端部間の距離を短くして、放出動作にスピード感および躍動感に富み、入賞装置内に取り込まれるのか外部に弾き出されるのかどうかにも躍動感を与え、さらに、風車体内に遊技球を取り込んで確実に入賞装置に入賞させて、遊技者にスリリングな感覚を感じさせるとともに、遊技の効率をも高めることのできる遊技機を提供することを目的としている。
【課題を解決するための手段】
【００１０】  前述した目的を達成するための本発明の要旨とするところは、以下の各項の発明に存する。
［１］遊技球が入賞可能な入賞装置（２０）を備えた遊技機（１０）であって、
前記入賞装置（２０）は、上部が開口（２３ａ）して内部に入賞口（２１，２２）を有し、前記開口（２３ａ）の近傍に、風車状回転体（２５）を回動自在に軸支し、
前記風車状回転体（２５）の羽根（２５ａ）の回転軸側である基端部から外周側の先端部の途中位置に、隣り合う前記羽根体間を渡す底部（２５ｂ）が設けられたことを特徴とする遊技機（１０）。【００１１】  ［２］前記羽根（２５ａ）間に設けられた前記底部（２５ｂ）は、円周方向より所定の角度傾斜して形成されたことを特徴とする［１］に記載の遊技機（１０）。【００１２】  ［３］隣り合う前記羽根（２５ａ）同士の間隔に差異を設けたことを特徴とする［１］または［２］に記載の遊技機（１０）。【００１３】  ［４］前記底部（２５ｂ）の位置に差異を設けたことを特徴とする［１］，［２］または［３］に記載の遊技機（１０）。【００１４】  ［５］前記風車回転体（２５）に、遊技球を外周側より軸芯側に導入し、遊技盤面（１２）の裏側へと連通する入賞経路である風車回転体入賞路（２７）を設けたことを特徴とする［１］，［２］，［３］または［４］に記載の遊技機（１０）。【００１５】  ［６］前記［２］から［５］に記載の風車状回転体（２５）のうち少なくとも二つを組み合わせて具備したことを特徴とする遊技機（１０）。【００１６】  ［７］前記入賞装置（２０）の両側面に少なくとも１対の可動片（２４）を設けたことを特徴とする［１］，［２］，［３］，［４］，［５］または［６］に記載の遊技機（１０）。【００１７】  ［８］前記風車回転体（２５）の近傍に補助風車体（３５）を配設し、
前記特定入賞口（２１）に遊技球が入賞すると、該補助風車体（３５）は、前記風車回転体（２５）の羽根（２５ａ）内に遊技球を導入し易い向きに回転することを特徴とする［１］，［２］，［３］，［４］，［５］，［６］または［７］に記載の遊技機（１０）。【００１８】  ［９］遊技領域（１１）に、大入賞口と各種表示態様が表示可能な可変表示部とを備え、
前記入賞装置（２０）内の入賞口（２１，２２）に入賞することにより、該可変表示部において変動表示を行い、賞を付与すべき表示態様に確定すると、
前記大入賞口が開閉して賞球を行うことを特徴とする［１］，［２］，［３］，［４］，［５］，［６］，［７］または［８］に記載の遊技機（１０）。【００１９】  ［１０］前記風車回転体（２５）の上方に天釘群（１３Ａ）を上下に複数列配設したことを特徴とする［１］，［２］，［３］，［４］，［５］，［６］，［７］，［８］または［９］に記載の遊技機（１０）。【００２０】  ［１１］前記底部（２５ｂ）に遊技球を保持するための孔である球保持部（２６）を形成したことを特徴とする［１］，［２］，［３］，［４］，［５］，［６］，［７］，［８］，［９］または［１０］に記載の遊技機（１０）。【００２１】  ［１２］前記球保持部（２６）の深さを異ならせたことを特徴とする［１１］に記載の遊技機（１０）。【００２２】  ［１３］前記球保持部（２６）は、孔の深さ方向に対して略直角に折れ曲がるポケット部を少なくとも１箇所設けたことを特徴とする［１１］または［１２］に記載の遊技機（１０）。【００２３】  前記本発明は、次のように作用する。
前記［１］〜［５］に記載の遊技機（１０）によれば、遊技盤面（１１）上に風車回転体（２５）を備えた入賞装置（２０）が配設され、風車回転体（２５）は回動自在に軸支されている。流下する遊技球は風車回転体（２５）の回転とともに、羽根体間に取り込まれて、入賞装置（２０）内に導入されたり、左右上下に弾かれてさらに盤面の下方に流下することとなる。【００２４】  入賞装置（２０）は、遊技盤面（１１）上の略中央に配設されており、上部の開口（２１）は、左右の両端に亘り、または、その近傍に、風車回転体（２３）が回動自在に軸支される。これにより、開口（２１）および風車体（２３）は天釘（１２）のごく近い位置に配されることになり、遊技者は天釘（１２）およびその近傍を狙って遊技を行い、上部の開口（２１）から遊技球を効率良く入賞装置（２０）内部に取り込むことができる。【００２５】  入賞装置（２０）内の入賞口（２１，２２）は、単数または複数の構成とし、その全てまたは一部を特定入賞領域として、他の遊技動作の開始動作としても良い。すなわち、入賞装置（２０）内の入賞口（２１，２２）に遊技球が入賞することにより、遊技盤面（１１）上に配設された一般入賞装置（３０）の開動作をしたり、可変表示部（３１）により抽選遊技を行たり、大入賞口（３２）を開動作し賞球を行うなどする。可変表示部（３１）により抽選遊技を行う場合には、可変表示部（３１）により可変表示を開始し、最終的に停止した図柄または数字などの組み合わせにより当たり図柄である場合は、大入賞口（３２）などにより賞球する。【００２６】  また、風車回転体（２５）は、羽根体の回転軸側である基端部から外周側の先端部の途中位置に、隣合う前記羽根体間を渡す底部（２５ｂ）を設けている。これにより、風車回転体（２５）の回転に伴って、保持している遊技球を放出する際、遊技球を保持している基端部（底部）と、該遊技球の放出口である先端部間の距離を短くして、放出動作にスピード感および躍動感に富み、入賞装置（２０）内に取り込まれるのか外部に弾き出されるのかどうかにも躍動感を与え、遊技者にスリリングな感覚を感じさせて遊技に対する興趣が極めて高めることができる。【００２７】  前記［６］に記載の遊技機（１０）によれば、風車回転体（２５）に、遊技球を外周側より軸芯側に導入し、遊技盤面（１２）の裏側へと連通する入賞経路である風車回転体入賞路（２６）を設けている。これにより、遊技が多彩となり、遊技者がより遊技に感情移入することができる。【００２８】  前記［７］に記載の遊技機（１０）によれば、入賞装置（２０）の両側面に少なくとも１対の可動片（２４）を設けている。これにより、入賞装置（２０）内に遊技球が入賞する機会を高めて、賞球の効率を高め、遊技に対する興趣を増大させることができる。【００２９】  前記［８］に記載の遊技機（１０）によれば、風車回転体（２５）の近傍に補助風車体（３５）を配設し、特定入賞口（２１）に遊技球が入賞すると、補助風車体（３５）は、風車回転体（２５）の羽根（２５ａ）内に遊技球を導入し易い向きに回転する。これにより、流下する遊技球の流れをコントロールすることができる。【００３０】  前記［９］に記載の遊技機（１０���によれば、遊技領域（１１）に、大入賞口と各種表示態様が表示可能な可変表示部とを備え、前記入賞装置（２０）内の入賞口（２１，２２）に入賞することにより、該可変表示部において変動表示を行い、賞を付与すべき表示態様に確定すると、前記大入賞口が開閉して賞球を行う。これにより、遊技のバリエーションを増やすことができる。【００３１】  前記［１０］に記載の遊技機（１０）によれば、風車回転体（２５）の上方に天釘群（１３Ａ）を上下に複数列配設している。遊技盤面（１２）に打ち出された遊技球の勢いを弱めて、風車回転体（２５）を衝撃などから守ることができる。【００３２】  前記［１１］〜［１３］に記載の遊技機（１０）によれば、風車回転体（２５）の底部（２５ｂ）には、遊技球を導入し保持するための孔である球保持部（２６）を設けている。球保持部（２６）は、風車回転体（２５）の回転により、上向に開放しているときには、流下する遊技球をその中に導入し、下向きにあるときには内部に貯められた遊技球を下方に放出、落下させるものである。これにより、風車回転体（２５）が羽根体及び底部のみによるものである場合に比べて、より確実に入賞装置内部に導入させることができる。また、球保持部の深さを変えたものにあっては、よりバリエーションに富んだものとなり、深い球保持部（２６）は、より多くの遊技球を導入させることができる。【００３３】  さらに、球保持部（２６）孔の深さ方向に対して略直角ないし鋭角に屈曲させてポケット部を設けた場合、回転方向と合わせて、より確実に遊技球を内部に保持して下方に導入させることができる。ポケット部は１箇所に限られず、孔の両側方向、またその途中で分岐して複数のポケット部を形成しても良い。
【発明の効果】
【００３４】  本発明に係る遊技機によれば、上部が開口した入賞装置を採用し、上部開口の近傍に風車回転体を配設したことにより、遊技球の流れを不均一化して遊技が単調になるのを防ぎ、また、風車体を回転速度、方向、回数をさまざまに変えることにより、遊技内容を多岐に渡らせることができる。また、球保持部を設けた遊技機にあっては、より確実に多くの遊技球を入賞装置内に入賞させることができる。回転する風車回転体と流下する遊技球の衝突は予測つき難く、遊技自体をよりバリエーションを富んだものにすることができる。
【図面の簡単な説明】
【００３５】
【図１】  本発明の第１実施の形態に係る遊技機を示す正面図である。
【図２】  本発明の第１実施の形態に係る遊技機の別の例を示す正面図である。
【図３】  本発明の第１実施の形態に係る遊技機の別の例を示す正面図である。
【図４】  本発明の第１実施の形態に係る遊技機の別の例を示す正面図である。
【図５】  本発明の第１実施の形態に係る遊技機の別の例を示す正面図である。
【図６】  本発明の第１実施の形態に係る遊技機の別の例を示す正面図である。
【図７】  本発明の第２実施の形態に係る遊技機の示す正面図である。
【図８】  本発明の第２実施の形態に係る遊技機の別の例を示す正面図である。
【図９】  本発明の第３実施の形態に係る遊技機の別の例を示す正面図である。
【図１０】  本発明の第３実施の形態に係る遊技機の別の例を示す正面図である。
【図１１】  本発明の第３実施の形態に係る遊技機の別の例を示す正面図である。
【図１２】  本発明の第３実施の形態に係る遊技機を示す正面図である。
【図１３】  本発明の第４実施の形態に係る遊技機の別の例を示す正面図である。
【図１４】  本発明の第４実施の形態に係る遊技機の別の例を示す正面図である。
【図１５】  本発明の第４実施の形態に係る遊技機の別の例を示す正面図である。
【図１６】  本発明の第１実施の形態に係る遊技機の入賞装置（ａ）および第２実施の形態に係る遊技機の入賞装置（ｂ）の正面図、ならびに（ｂ）の遊技球が入賞路内を通過していく様子を模式的に表した説明図（ｃ）である。
【図１７】  本発明の第５実施の形態に係る遊技機を示す正面図である。
【図１８】  本発明の第５実施の形態に係る遊技機の別の例を示す正面図である。
【図１９】  本発明の第５実施の形態に係る遊技機の別の例を示す正面図である。
【図２０】  本発明の第５実施の形態に係る遊技機の別の例を示す正面図である。
【図２１】  本発明の第５実施の形態に係る遊技機の別の例を示す正面図である。
【図２２】  本発明の第５実施の形態に係る遊技機の別の例を示す正面図である。
【図２３】  本発明の第５実施の形態に係る遊技機の別の例を示す正面図である。
【図２４】  本発明の第５実施の形態に係る遊技機の別の例を示す正面図である。
【図２５】  本発明の第５実施の形態に係る遊技機の別の例を示す正面図である。
【図２６】  本発明の第５実施の形態に係る遊技機の別の例を示す正面図である。
【図２７】  本発明の第５実施の形態に係る遊技機の別の例を示す正面図である。
【図２８】  本発明の第５実施の形態に係る遊技機の別の例を示す正面図である。
【図２９】  本発明の第５実施の形態に係る遊技機の入賞装置の風車体の回転と遊技球の動きを説明する正面図（ａ），（ｂ）と入賞装置の別の球保持部の例を示す同じく正面図（ｃ）である。
【図３０】  従来の遊技機の例を示す正面図である。
【発明を実施するための形態】
【００３６】  以下、図面に基づき、本発明を代表する各種実施の形態を説明する。
図１〜図６は、本発明の第１実施の形態に係る遊技機１０を示している。
遊技機１０は、遊技領域１１上に遊技球を打ち出して遊技を行うパチンコ機である。遊技機１０は、打ち出された遊技球が落下して遊技を進行させる役物等が取り付けられた遊技領域１１と、該遊技領域１１の正面を覆うガラスを固定するガラス枠等を有している。
【００３７】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００３８】  遊技領域１１の正面視において左側端縁を区画する位置には、前記ハンドル１６の回転操作により打ち出された遊技球を遊技領域１１の上方へ導くための外レールが設けられている。遊技領域１１には、前記外レールより放出された遊技球が落下する経路に変化を与えるための天釘１２を含む遊技釘の他、遊技領域１１の略中央に風車体２５を備えた入賞装置２０、入賞装置２０の下方には入賞装置２０を略Ｖ字型に取り囲むように一般入賞装置３５が５基設けられている。また最下部には、何れの入賞口、入賞装置にも入らず落下した遊技球を排出するためのアウト球口１３が設けられている。
【００３９】  加えて、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、後述する入賞装置２０や表示遊技、特別遊技状態を制御する等の様々な機能を有している。ここで、制御手段は各種入賞口に遊技球が入賞した際に賞出信号を機内部にある計数機に出力して、各種入賞口ごとに予め割り当てられている所定数の遊技球を計数機から上皿１４に払い出させるように構成してもよい。
【００４０】  次に、本発明の根幹を成す風車回転体２５を備えた入賞装置２０について説明する。
図１に示すように、入賞装置２０は、遊技機１０の主たる役物装置として遊技領域１１の略中央に配設される。その上端には左右両端に亘って開口２３ａが形成され、全体を凵形状とし、内部であってその最下部には入賞装置２０内に入った遊技球を入賞させる単数または複数の入賞口を備えており、その一部又は全てを特定入賞口２１または普通入賞口２２として、後述するその他の遊技動作と連動させている。
【００４１】  入賞装置２０の上部開口２３ａの近傍には、風車回転体２５が回動自在に軸支される。ここで、近傍とは、風車回転体２５の羽根２５ａを回動させることにより、風車体２５が流下する遊技球と衝突して、羽根２５ａ内に巻き込んで入賞装置２０内に導入したり、外に弾いたりすることのできる距離であり、羽根２５ａが入賞装置２０の開口２３ａと干渉しない範囲に設定される。羽根２５ａの長さが長い場合、より広い範囲の遊技球が入賞装置２０内に取り込まれることとなる。
【００４２】  また、風車回転体２５には、羽根体の回転軸側である基端部から外周側の先端部の途中位置に、隣合う前記羽根体間を渡す底部２５ｂが設けられている。これにより、風車回転体２５の回転に伴って、保持している遊技球を放出する際、遊技球を保持している基端部（底部）と、該遊技球の放出口である先端部間の距離を短くして、放出動作にスピード感および躍動感に富み、入賞装置２０内に取り込まれるのか外部に弾き出されるのかどうかにも躍動感を与え、遊技者にスリリングな感覚を感じさせて遊技に対する興趣が極めて高めることができる。
【００４３】  さらに風車回転体２５の羽根２５ａは、図１に示すように、軸芯側より外周側の先端まで連続して構成したものでなくても良い。風車回転体２５の底部は、肉薄の柱形状に形成された中心を回転軸として回転可能なものであればよく、羽根２５ａはその外周部に形成されたものとしてもよい。
【００４４】  風車回転体２５は、回転軸２５ｃが開口２３ａの両側方向における中間位置、すなわち開口２３ａの外側であって、その垂直二等分線上の位置に配置される。風車回転体２５を回転させることにより、遊技盤面１１上を流下する遊技球はそのタイミングによって、入賞装置２０内に入ったり、または、入らずに左右上下に弾かれてさらに遊技盤面１１の下方に流下することになる。
【００４５】  風車回転体２５の回転軸２５ｃに連なる駆動手段については、一般的なものなので詳述しないが、モーター等の駆動装置を少なくとも有し、回転軸２５ｃに伝えるギヤなどの伝達手段を有するものと成る。また、駆動手段全体は、前述した盤面の制御を行う制御手段によって制御される。
【００４６】  風車回転体２５は制御手段により回転方向、回転の速さ、停止位置、動作パターンを制御されることにより、遊技球の入賞のし易さをコントロールされる。この際、普通入賞口３１への入賞などと連動させて、遊技球を入賞させるべく、風車回転体２５の回転をゆっくりにしたり、一端停止をして遊技球を羽根２５ａに貯めてから入賞装置２０内に導入するようにしたりしてもよい。
【００４７】  図１に示すように、風車回転体２５は入賞装置２０の上方に配設される。左右の風車回転体２５は、通常時は、流下する遊技球の衝突によって自由に回転できるように設定されている他、後述する様々な遊技状態（特定入賞口２１に遊技球が入賞した場合など）では、それぞれ左回転、右回転して遊技球を入賞装置２０内に取り込んだり、外に弾いたりする。
【００４８】  風車回転体２５の回転は、前述した制御手段によって制御し、方向だけでなく回転の速さ、所定の遊技状態での回転数、回転パターンなどがそれぞれ設定可能に構成される。また、風車体２５は駆動機構とともにクラッチ機構を備えており、クラッチ機構により駆動機構と風車回転体２５の伝達が切れている場合には回動自在となり、流下する遊技球が風車回転体２５に衝突したときにその力によって自由に回転する状態で、当該状態のときは回転に際する抵抗は最小化されている。また、風車回転体２５は任意の位置で静止状態にすることもできる。特定の遊技状態で、開口２３ａとの間に広い隙間がある位置に静止させて賞球の一態様とすることが可能となる。
【００４９】  さらに、風車回転体２５を複数配設した場合、それぞれの風車回転体２５に適切な隙間をとることにより、入賞のし易さを設定することが可能となる。遊技球の直径より小さくした場合は、偶然に遊技球が入る可能性は小さくなる一方、広く設定した場合は、風車体２５の回転と関係なく、遊技球が入る可能性は大きくなる。また、隣り合う風車体２５の回転に位相差を設け、風車体２５どうしが干渉しないように駆動機構を構成することにより、風車体２５どうしをより近づけることも可能である。
【００５０】  入賞装置２０の内部であってその最下部には、特定入賞口２１が設けられる。これにより、特定入賞口２１に遊技球が入賞したときに、風車回転体２５を遊技球の導入し易い向きに回転させて入賞装置２０内に取り込んで、賞球することができる。また、特定入賞口２１を複数備えるように構成してもよい。
【００５１】  風車回転体２５は、様々なバリエーションを有している。図２に示した遊技機は底部２５ｂを傾斜させたものであり、図３に示した遊技機は一部の底部を深く形成したものであり、図４に示した遊技機は、底部の深さを浅いタイプ、深いタイプの２種をそれぞれ対角線上に配したものである。図５に示した遊技機は、底部２５ｂを傾斜させてかつ一部の底部２５ｂを深く形成したものである。また、図６に示した遊技機は、一部の羽根２５ａ同士の間隔を広く形成したものである。これらの風車回転体２５は、美観上優れているとともに、遊技球の保持の特性が異なり、遊技により豊なバリエーションを与えることとなる。
【００５２】  次に、遊技機１０の作用を説明する。
遊技者はハンドル１６を打ち出し力に応じて回転操作することで球発射装置（図示省略）により、遊技領域１１上に遊技球を打ち出して遊技を行う。遊技球は所定の間隔をもって次々に打ち出され、天釘１２をはじめ遊技領域１１上のさまざまな部位に衝突しながら下方に落下（流下）をする。
【００５３】  風車体２５は、遊技球に衝突されて回転自在状態であり、一部の遊技球を巻き込んで、入賞装置２０の外部にこぼれ落ちずに残ったものが、入賞装置２０内に入り、普通入賞口２２または特定入賞口２１に入る。
【００５４】  すなわち、特定入賞口２１に遊技球が入賞することにより、風車体２５を所定のパターンで回転させたり、遊技領域１１上に配設された一般入賞装置３１の開動作をしたり、可変表示部３１を備えた遊技機１０にあっては、可変表示部３１により抽選遊技を行ったり、大入賞口３０を開動作し賞球を行うなどする。特定入賞口２１を複数も受けた場合、特定入賞口２１それぞれに対応して遊技動作を設定して、さまざまなバリエーションを演出し遊技者を楽しませることができる。
【００５５】  本実施の形態の遊技機１０によれば、入賞装置２０は、遊技領域１１上の上部の天釘に近い位置に配置することができる。従来の始動入賞口までの距離が長い場合に、遊技領域上に打ち込まれて滞留している遊技球の数が多く、遊技球が入賞するかどうかの帰趨が決するまでの処理に時間がかかるのと異なり、この場合、開口２３および風車体２５は天釘のごく近い位置に配されることになり、遊技者は天釘およびその近傍を狙って遊技を開始できるので、上部の開口２３から遊技球を効率良く入賞装置２０内部に取り込むことができる。
【００５６】  図７および図８は第２の実施の形態に係る遊技機１０を示している。なお、前述した第１の実施の形態と同種の部位には同一の符号をつけて説明を省略する。
第２の実施の形態に係る遊技機１０は風車回転体２５に風車回転体入賞路２６を備えている。図１６に示すように、風車回転体２５の外延から軸芯を通り、遊技盤面１２内部を経て風車回転体入賞口２７に入賞することができるものである。回転している風車回転体２５の風車回転体入賞路２６に遊技球を入賞させるのは大変困難であり、大量の賞球を行うなどすることによって、遊技を演出し、遊技者の興趣を高めることができる。
【００５７】  図９〜図１２は第３の実施の形態に係る遊技機１０を示している。なお、同じく前述した第１の実施の形態と同種の部位には同一の符号をつけて説明を省略する。
図９および図１０に示す遊技機１０は入賞装置２０に少なくとも一対（図１０における遊技機については二対）の可動片２４を備えている。これにより、遊技にバリエーションを与えることができ、効率的に入賞装置２０内に遊技球を導入することができる。特に図１０に示すように、遊技領域１１にスルーチャッカーを配して、可動片２４の開動作の契機とするとよい。また、図１２に示す遊技機１０は前述の図１０に加えて可変表示部を備えたものである。この場合、入賞装置２０内の特定入賞領域への入賞によって表示遊技の開始し、変動表示の結果当たり図柄で確定したときには、大入賞口３０の開動作によって賞球を行うものとすればよい。さらに、図１１に示す遊技機１０は風車回転体２５の左右両側に補助風車体３５を配設したものである。回転しながら流下する遊技球を風車回転体２５方向へ効率よく案内するものである。
【００５８】  図１３および図１４は第４の実施の形態に係る遊技機１０を示している。なお、前述した実施の形態と同種の部位には同一の符号をつけて説明を省略する。
第４の実施の形態に係る遊技機１０は、入賞装置２０の上方に上下に複数列の天釘群を配設している。遊技盤面１２に発射された遊技球の勢いを弱めるとともに、風車回転体２５の適宜箇所に遊技球を衝突させて所望の方向へ回転させて、風車回転体２５に保持されている遊技球を入賞装置２０内に入賞させる。一部の天釘については釘の太さを太くしたものが強度的にも方向付けの傾向から適していることが分かった。ハンドルを微小に操作して流下する遊技球のコントロールをすることを要する遊技であり、遊技者の興趣を高めると同時に、飽きさせない遊技を提供することができる。
【００５９】  図１７〜図２８は第５の実施の形態に係る遊技機１０を示している。なお、同じく前述した第１〜第４の実施の形態と同種の部位には同一の符号をつけて説明を省略する。
第５の実施の形態に係る遊技機１０は、風車回転体２５の隣り合う羽根２５ａ間に渡される底部２５ｂにいずれも遊技球を保持するための球保持部２６が形成された風車回転体を備えた遊技機の様々なバリエーションの例を示している。図１７は球保持部２６を２箇所備えた風車回転体２５を備えた遊技機、図１８は同じく４箇所備えた遊技機である。
【００６０】  図１９は、底部２５ｂが傾斜して形成されたものに同じく４箇所の球保持部が形成された風車回転体を備えた遊技機、図２０は前述の図１８に示した風車回転体２５の球保持部２６の深さを異ならせたもの、図２１は前述の図１１に示した遊技機１０と同じく補助風車回転体を備えるとともに、球保持部２６を備える底部２５ｂの深さを浅くしたものを示している。
【００６１】  特に図２２から図２８に示す遊技機１０の風車回転体２５の球保持部２６には、球保持部２６の深さ方向とは略直角に折れ曲がったポケット部２６ａを備えている。図２２に示す遊技機には、片側方向のみにポケット部を備えた球保持部２６を有するもの、図２３には、ポケット部２６ａを有する球保持部２６、有さない球保持部２６の両タイプを備えた風車回転体２５の態様を示している。
【００６２】  さらに、図２４には深さ方向と直角の左右の両方向にポケット部２６ａを備えた球保持部２６を有するもの、図２５は前述の図１９に示した風車回転体２５と同じく底部２５ｂを傾斜して形成したものにポケット部２６ａを備えた球保持部２６を有するものを示している。図２６は隣り合う羽根２５ａ間の形成された底部２５ｂの１箇所（風車回転体２５全体では２箇所）にポケット部２６ｂを備えた球保持部２６とポケット部２６を有さない球保持部２６の両方を備えたものである。図２７は前述の図１２に示した遊技機１０と同様に可動翼２４を備えた入賞装置２０にポケット部２６ａを備えた風車回転体２５を設けたものである。図２８は前述の図２７の風車回転体２５にポケット部２６ａを図２４の風車回転体２５と同じく左右の両方向にポケット部２６ａを備えた球保持部２６を有するものである。
【００６３】  図２９（ａ），（ｂ）に示すように、回転方向と同一の方向にポケット部２６ａを設けた場合、保持部内に入った遊技球は、重力によって風車体の回転とともにポケット部に収まり、さらに回転が進んで球保持部２６が適宜下方に向いた時に、同じく重力によってポケット部２６ａから滑り落ちて下方の入賞装置内に入賞することとなる。
【００６４】  また、図２４，図２９（ｃ）に示すように、球保持部２６より左右の円周方向の両側にポケット部２６ａを備えた場合には、風車回転体２５自体の回転方向によらず上記したように、同じく回転とともに遊技球がポケット部２６ａに収まり、入賞装置内に確実に遊技球が入賞することとなる。ここで図２９（ｃ）に示した風車回転体２５は羽根２５ａ間に入る遊技球を球保持部２６に案内するためのガイド斜壁２５ｃを備えている。この場合、より確実に遊技球を保持して入賞装置内に入賞させることができる。
【００６５】  以上、本発明の実施の形態を図面によって説明してきたが、具体的な構成はこれらの実施の形態に限られるものではなく、本発明の要旨を逸脱しない範囲における変更や追加があっても本発明に含まれる。前述した第１の実施の形態では、大入賞口３０と可変入賞部３１は同時に備えたものを示さなかったが、同時に備えるものとしてもよい。特定入賞口２１に連動した可変入賞部３１の結果により大入賞口３０の開動作を行うなどすればよい。
【００６６】  また、第５の実施の形態では、ポケット部２６ａを屈曲したものとしたが、遊技球が球保持部２６内に収まるためには、窪み程度であっても遊技球を保持できるので、そのようなものとしてもよい。さらに、同じくポケット部２６ａを略直角に屈曲するものとしたが、直角に足らずとも鋭角であれば用途に足るので、ポケット部２６ａ鋭角に屈曲するものとしてもよい。
【産業上の利用可能性】
【００６７】  本発明に係る遊技機はパチンコ機に限らず、プログラム制御されるスマートボールゲーム機、アレンジボールゲーム機といった他の遊技機にも同様に適用することができる。
【符号の説明】
【００６８】１０…遊技機
１１…遊技領域
１２…天釘
１３…アウト球口
１４…上皿
１５…下皿
１６…ハンドル
２０…入賞装置
２１…特定入賞口
２２…普通入賞口
２３ａ…開口
２４…可動翼
２５…風車回転体
２５ａ…羽根
２５ｂ…底部
２５ｃ…ガイド斜壁
２６…球保持部
２６ａ…ポケット部
２７…風車回転体入賞路
２８…風車回転体入賞口
３０…大入賞口
３５…補助風車体
【図１】
2015134148.tif 000003
【図２】
2015134148.tif 000004
【図３】
2015134148.tif 000005
【図４】
2015134148.tif 000006
【図５】
2015134148.tif 000007
【図６】
2015134148.tif 000008
【図７】
2015134148.tif 000009
【図８】
2015134148.tif 000010
【図９】
2015134148.tif 000011
【図１０】
2015134148.tif 000012
【図１１】
2015134148.tif 000013
【図１２】
2015134148.tif 000014
【図１３】
2015134148.tif 000015
【図１４】
2015134148.tif 000016
【図１５】
2015134148.tif 000017
【図１６】
2015134148.tif 000018
【図１７】
2015134148.tif 000019
【図１８】
2015134148.tif 000020
【図１９】
2015134148.tif 000021
【図２０】
2015134148.tif 000022
【図２１】
2015134148.tif 000023
【図２２】
2015134148.tif 000024
【図２３】
2015134148.tif 000025
【図２４】
2015134148.tif 000026
【図２５】
2015134148.tif 000027
【図２６】
2015134148.tif 000028
【図２７】
2015134148.tif 000029
【図２８】
2015134148.tif 000030
【図２９】
2015134148.tif 000031
【図３０】
2015134148.tif 000032